(57)【要約】【課題】  複数枚のディスクを収納するディスク再生装置における、再生中のディスクとストッカとの接触を防止する。【解決手段】  ディスク再生時においてディスク載置手段を当該ディスクから離開して保持するための離開保持溝部を、ディスクの内側下方に向けて斜めに形成したことにより、ディスクの再生時においてディスク載置手段がディスクの内側下方に向けて斜めに保持される。これにより、ディスクとディスク載置手段との間隔を従来に比して拡大することができ、再生中のディスクに対するディスク載置手段の接触を防止して、当該ディスクの破損を未然に防ぐことができる。【選択図】        図６
2005108384.tif 000002
【特許請求の範囲】
【請求項１】
ディスクの中心部を挟んで対向する当該ディスクの外周部の２点をそれぞれ載置するための１対のディスク載置手段と、
上記ディスク載置手段における上記ディスクの外方に設けられたガイドピンを嵌合して保持する上下方向に屈曲したガイド溝を有し、当該ガイド溝部によって当該ディスク載置手段全体の垂直位置を規制する載置手段規制手段と、
上記載置手段規制手段を水平方向に移動させることにより、上記ガイド溝に嵌合された上記ガイドピンを上下に移動させて上記ディスク載置手段を上下方向に移動させる載置手段移動手段と、
上記ディスクを生成するディスク再生手段と
を具え、
上記ガイド溝は、上記載置手段規制手段の移動に応じて上記ディスク載置手段を降下させて、当該ディスク載置手段に載置された上記ディスクを上記ディスク再生手段に移送する移送溝部と、載置していた上記ディスクを上記ディスク再生手段に移送した後の上記ディスク載置手段をさらに降下させた状態で保持して、上記ディスクから離開させる離開保持溝部とを有し、
上記離開保持溝部は、上記ディスクの内側下方に向けて斜めに形成されている
ことを特徴とするディスク再生装置。
【請求項２】
上記１対のディスク載置手段を複数組具え、
上記載置手段規制手段は、上記複数組のディスク載置手段のうちの１対を、他の上記ディスク載置手段から離開させる離開ガイド部を有する
ことを特徴とする請求項１に記載のディスク再生装置。
【請求項３】
上記ディスク再生手段は、上記ディスクに対する記録機能を兼ね備える
ことを特徴とする請求項１に記載のディスク再生装置。
【請求項４】
ディスクの中心部を挟んで対向する当該ディスクの外周部の２点をそれぞれ載置するための１対のディスク載置手段と、
上記ディスク載置手段における上記ディスクの半径方向外方に設けられたガイドピンを嵌合して保持する上下方向に屈曲したガイド溝を有し、当該ガイド溝部によって当該ディスク載置手段全体の垂直位置を規制する載置手段規制手段と、
上記載置手段規制手段を水平方向に移動させることにより、上記ガイド溝に嵌合された上記ガイドピンを上下に移動させて上記ディスク載置手段を上下方向に移動させる載置手段移動手段と、
を具え、
上記ガイド溝は、上記載置手段規制手段の移動に応じて上記ディスク載置手段を降下させて、当該ディスク載置手段に載置された上記ディスクを所定のディスク再生手段に移送する移送溝部と、載置していた上記ディスクを上記ディスク再生手段に移送した後の上記ディスク載置手段をさらに降下させた状態で保持して、上記ディスクから離開させる離開保持溝部とを有し、
上記離開保持溝部は、上記ディスクの内側下方に向けて斜めに形成されている
ことを特徴とするディスク収納装置。
【請求項５】
上記１対のディスク載置手段を複数組具え、
上記載置手段規制手段は、上記複数組のディスク載置手段のうちの１対を、他の上記ディスク載置手段から離開させる離開ガイド部を有する
ことを特徴とする請求項４に記載のディスク収納装置。
【発明の詳細な説明】
【技術分野】
【０００１】
本発明はディスク再生装置及びディスク収納装置に関し、例えば車載用ディスクプレーヤに適用して好適なものである。
【背景技術】
【０００２】
従来、コンパクトディスク等のディスク状記録媒体（以下、ディスクと呼ぶ）を再生する目的で車両に搭載されるディスク再生装置においては、複数枚のディスクをマガジンに収納し、マガジン単位でまとめて複数枚のディスクを一度に交換する構成であった。かかるディスク再生装置はその全体が大形化するため、本体部分をトランク内に収容する一方、車室内には操作に必要な部分のみが設置されていた。しかし、かかる構成のディスク再生装置は車両の走行中にディスクを交換することはできず、停車してトランクを開けて行なう必要があり、操作が煩雑であるという問題があった。
【０００３】
このため、近年では車室内に収容し得るようになされた車室内搭載型ディスク再生装置が開発されている。かかる車室内搭載型ディスク再生装置は、ダッシュボード内の定められた空間に収容される。従って、車室内搭載型ディスク再生装置を小形化することが重要な課題となっている。
【０００４】
このような車室内搭載型ディスク再生装置としては、例えば１ＤＩＮサイズ等と呼ばれる一定の寸法の略直方体の形状の筺体（ケース）内に例えば６枚のディスクを個別に載置するストッカを６枚重ねてディスク収納部を構成し、６枚のディスクのうちの一枚を順次に選択して再生できるように構成されている（例えば、特許文献１参照）。
【０００５】
ディスク収納部はディスクの略全面を支持する板状の複数枚のストッカをガイド支柱を介して昇降自在に重ね合わせて構成されており、再生する際には、選択されたディスクが載った選択ストッカの上方及び下方のストッカを上下方向に移動し、当該選択ストッカの上下に形成した空間に、ディスクに装着して回転させるためのターンテーブル及び光学ピックアップユニットを挿入してディスクの再生を行っている。
【０００６】
ところが、ストッカは板状であるため、ディスクが傷付かないように表面処理する面積が大きいだけでなく、複数枚重ねるとディスク収納部の重量が大きくなるという問題があった。
【０００７】
かかる問題を解決するため本願出願人は、従来のディスク全面を支持するストッカに替えて、ディスク外周部の一部をそれぞれ支持する一対の左右分離型ストッカを設け、当該左右分離型ストッカによってディスク外周部におけるディスク中心を挟んで対向する２点をそれぞれ個別に支持するようにしたディスク再生置を提案した（特許文献２参照）。
【０００８】
この左右分離型ストッカは、従来の一体型ストッカに比べてその面積が少なく、これによりディスク再生装置全体の重量を低減することができるという利点がある。
【特許文献１】特許第３１１６９１０号公報
【特許文献２】特開２００１−１１８３１１公報
【発明の開示】
【発明が解決しようとする課題】
【０００９】
ここで、上述した左右分離型ストッカは、従来のストッカの中間部分を削除した構成であり、当該左右分離型ストッカは、ディスク再生時において片側のみで支持されることになる（特許文献２・図３参照）。
【００１０】
このため、かかる左右分離型ストッカはその再生状態において不安定な状態にあり、ディスク再生装置に加えられる外的衝撃等によって振動して再生中のディスクに接触し、当該ディスクを破損させる恐れがあるという問題がある。
【００１１】
また近年、ディスク再生装置に収納するディスク枚数を増加させることが求められており、このためストッカ間の間隔（クリアランス）が狭められ、これによってさらに選択ストッカと選択ディスクとの接触が起こりやすくなっているという問題がある。
【００１２】
本発明は以上の点を考慮してなされたもので、ストッカとディスクとの接触を防止し得るディスク再生装置及びディスク収納装置を提案しようとするものである。
【課題を解決するための手段】
【００１３】
かかる課題を解決するため本発明においては、ディスクの中心部を挟んで対向する当該ディスクの外周部の２点をそれぞれ載置するための１対のディスク載置手段と、ディスク載置手段におけるディスクの外方に設けられたガイドピンを嵌合して保持する上下方向に屈曲したガイド溝を有し当該ガイド溝部によってディスク載置手段全体の垂直位置を規制する載置手段規制手段と、載置手段規制手段を水平方向に移動させることにより、ガイド溝に嵌合されたガイドピンを上下に移動させてディスク載置手段を上下方向に移動させる載置手段移動手段と、ディスクを生成するディスク再生手段とをディスク再生装置に設け、ガイド溝に、載置手段規制手段の移動に応じてディスク載置手段を降下させて当該ディスク載置手段に載置されたディスクをディスク再生手段に移送する移送溝部と、ディスクをディスク再生手段に移送した後のディスク載置手段をさらに降下させた状態で保持してディスクから離開させる離開保持溝部とを設け、離開保持溝部をディスクの内側下方に向けて斜めに形成した。
【００１４】
ディスク再生時においてディスク載置手段を当該ディスクから離開して保持するための離開保持溝部を、ディスクの内側下方に向けて斜めに形成したことにより、ディスク載置手段がディスクの内側下方に向けて斜めに保持され、これによりディスクとディスク載置手段との間隔を従来に比して拡大することができる。
【発明の効果】
【００１５】
上述のように本発明によれば、再生時においてディスク載置手段を当該ディスクから離開して保持するための離開保持溝部をディスクの内側下方に向けて斜めに形成したことにより、ディスク載置手段がディスクの内側下方に向けて斜めに保持され、これによりディスクとディスク載置手段との間隔を従来に比して拡大して、再生中のディスクに対するディスク載置手段の接触を防止して、当該ディスクの破損を未然に防ぐことができる。
【発明を実施するための最良の形態】
【００１６】
以下図面について、本発明の一実施の形態を詳述する。
【００１７】
（１）ディスク再生装置の全体構成
図１は本発明を適用した車室内搭載用のコンパクトディスクプレーヤであるディスク再生装置を示し、箱状の筐体２の内部に、ディスク挿脱口３を介して挿入されたディスク１００を６枚収納するディスク収納部４と、当該ディスク収納部４に収納されたディスク１００のうちの選択された１枚を回転駆動して再生するディスク再生部５を有している。
【００１８】
ディスク収納装置としてのディスク収納部４には、左右一対のストッカ６が６段積層されており、各ディスク１００はそれぞれ一対のストッカ６に載置されている。このディスク載置手段としてのストッカ６は、後述する平板状の分離カム４０（図４）によって、ユーザにより選択されたディスク１００（これを選択ディスク１００Ｓと呼んで識別する）を載置したストッカ６（これを選択ストッカ１００Ｓと呼んで識別する）を中心としてその上下のストッカ６を離開し得るようになされており、これにより選択ディスク１００Ｓの上下に所定の空間を生じるようになされている。
【００１９】
一方、ディスク再生部５においては、再生部昇降台７に対し、回動軸１０を介して下アーム１１及び上アーム１２とからなる支持アーム１３が一体となって回動駆動されるようになされている。下アーム１１の先端部にはスピンドルモータ１４が取り付けられているとともに、当該スピンドルモータ１４の回転軸には、ディスク１００の中心孔１００Ａに嵌まり込む円形凸部を有するターンテーブル１５が取り付けられている。また、上アーム１２の先端部には、ターンテーブル１５の円形凸部に対応した凹部を有するチャックプレート１６が回転自在に取り付けられている。
【００２０】
図示しない再生部昇降駆動手段によって、再生部昇降台７は支持アーム１３とともに選択ディスク１００Ｓに対応する高さに移動される。その後支持アーム１３は、図示しないアーム駆動手段によって矢印Ａ方向に回動されて、選択ディスク１００Ｓの上下に生じた空間に入り込んで行き、チャックプレート１６及びターンテーブル１５が選択ディスク１００Ｓの中心孔１００Ａの上下に移動した後、上アーム１２がチャックプレート１６とともに降下して、当該選択ディスク１００Ｓをチャックプレート１６及びターンテーブル１５で挟持する。
【００２１】
また、下アーム１１の上面には光ピックアップ１７が図示しない光ピックアップ移動手段を介して取り付けられており、挟持した選択ディスク１００Ｓの半径方向に当該光ピックアップ１７を往復移動し得るようになされている。
【００２２】
この状態において、スピンドルモータ１４はターンテーブル１５を介して選択ディスク１００Ｓを回転駆動する。そして、光ピックアップ１７は選択ディスク１００Ｓの半径方向内側の読み取り開始位置に移動した後、当該選択ディスク１００Ｓに対する再生を開始する。
【００２３】
かくしてディスク再生装置１は、ディスク収納部４に収納した最大６枚のディスク１００のうちの１枚を選択して再生するようになされている。
【００２４】
（２）ディスク収納部の構成
次に、ディスク収納部４の構成を図２及び図３を用いて詳細に説明する。図２（Ａ）に示すようにディスク収納部４には、それぞれ１枚のディスク１００を保持するディスク保持装置２１が６段積層されている。各ディスク保持装置２１は、それぞれ一対のストッカ６で構成される。
【００２５】
一対のストッカ６は、ディスク１００の中心を挟んで対向する第一の外周部と第二の外周部とをそれぞれ保持するように構成されている。これらの６つのディスク保持装置２１はディスク昇降台２２の上に載っており、ディスク保持装置２１及びディスク昇降台２２は４本のガイド支柱２３を介して昇降自在に支持されている。夫々のガイド支柱２３の両端は筐体２（図１）の底板及び天井板に結合して支持されている。
【００２６】
各ストッカ６は、図３に示すようにディスク載置手段としての薄いアルミ板６Ａの外側上面に樹脂体６Ｂを貼着して形成されている。樹脂体６Ｂの側面部における中央部及び後端部近傍には、それぞれ側方へ突出する一対のガイドピン６Ｃ及び６Ｄが形成されており、中央部のガイドピン６Ｃは長く、後端部のガイドピン６Ｄは短い。樹脂体６Ａの高さはディスク１００の厚さと略同一の厚さに設定されており、当該樹脂体６Ａの上面にはアルミ板６Ａとの間にディスク１００を把持する押圧手段としての保持バネ６Ｅの前面側が固着されている。
【００２７】
保持バネ６Ｅの背面側の内側にはＣＤを押える押え部６Ｆが形成される一方、背面側の外側には後述する分離カム４０の下面によって下方へ押さえられる受け部６Ｇと、後述するバネ押上部４０Ｍ（図５）によって上方へ押し上げられる力を受ける係合部としての受け部６Ｈとが形成されている。夫々の樹脂体６Ｂの前面側及び背面側には、ガイド支柱２３を挿通するためのガイド孔６Ｉが樹脂体６Ｂ及びアルミ板６Ａを貫通して形成されている。アルミ板６Ａの両面におけるディスク１００の外周面近傍が当接する部分には、図示しない緩衝材が貼着されている。
【００２８】
最上段のストッカ６における樹脂体６Ｂの両端には、図２（Ａ）にも示すように、筐体２の天井板と最上段のストッカ６との間に設ける付勢手段としてのコイルバネ２４を受けるための円筒形のバネ受け６Ｊが一体に形成され、図２（Ｂ）に示すようにバネ受け６Ｊの下端が内側へ少し突出して受け部６Ｋが形成され、受け部６Ｋでコイルバネ２４の下端を受けるようになっている。これは、長いバネを用いることによって圧縮長さが大きくなっても圧縮に要する荷重があまり大きくならないようにするために設けられている。
【００２９】
一方、ディスク昇降台２２は、左右端を上方へ屈曲させた形状に形成されている。水平な部分には前記ガイド支柱２３を挿通するためのガイド孔２２Ａが形成され、左右の鉛直な部分の外側にはディスク昇降台２２を昇降させるための一対のガイドピン２２Ｂが水平方向へ突出させて固着されている。これらの一対のガイドピン２２Ｂは、筐体２の左右の側板にそれぞれ形成された２本の鉛直スリット（図示せず）に挿通され、当該ディスク昇降台２２の水平方向の位置を規制するとともに、図示しない昇降台駆動手段によって、当該ディスク昇降台２２全体を昇降し得るようになされている。
【００３０】
（３）ディスク再生部の構成
次に、ディスク再生部５の構成を図４を用いて詳細に説明する。ディスク再生部５は、ディスク再生装置１の奥行寸法をできるだけ小さくするため、ディスク収納部４の背後に接近して配置されている。
【００３１】
再生部昇降台７は、水平板とその両側の鉛直板とを一体に形成したものであり、水平板の前面側には収納されたディスク１００を回避するための円弧状の切欠部７Ａが形成されている。それぞれの鉛直板には再生部昇降台７を昇降させるための一対のガイドピン３０が水平方向へ突出させて固着されている。一対のガイドピン３０は同一高さに配置され、ディスク昇降台２２（図２）の一対のガイドピン２２Ｂよりも短くなっている。これらのピン３０は、筐体２の側板に形成された一対の鉛直スリットに挿通されている。
【００３２】
（４）分離カムの詳細な構成
ここで、再生部昇降台７における両側の鉛直板の内側には、上下方向へ重なり合うストッカ６（図２）の間へ挿入して選択ディスク１００Ｓの上下に空間を形成する空間形成手段として、合成樹脂の成型品でなる分離カム４０が前後方向へスライド自在に設けられている。即ち、再生部昇降台７における鉛直板の前面側上部にガイド孔７Ｂが形成されるとともに、当該ガイド孔７Ｂに挿通された頭付ガイドピン４０Ａが分離カム４０に固着される一方、図２（Ａ）に示すように、分離カム４０の下部にガイド孔４０Ｂが形成されるとともに当該ガイド孔４０Ｂに挿通された図４の頭付ガイドピン７Ｃが鉛直板の前後方向での中間位置に固着されている。
【００３３】
この、載置手段規制手段としての分離カム４０は、図示しない載置手段移動手段としてのカム駆動部によってストッカ６へ向かって移動され、選択ディスク１００Ｓが載置された選択ストッカ６Ｓとその上下のストッカ６とを分離して、当該選択ストッカ６Ｓの上下に支持アーム１３が入り込むための空間を形成するものである。
【００３４】
分離カム４０は、前後方向の長さの異なる２枚の板にスリットを形成して貼り合せたような形状になっており、分離カム４０を積層されたストッカ６の間に滑り込ませることにより、前面側は載置台２の一対の長いガイドピン６Ｃを上動させ、背面側は一対の短いガイドピン６Ｄを上動させるように構成されている。
【００３５】
すなわち図５（Ａ）に示すように、分離カム４０の下側には、選択ストッカ６Ｓ及びその上方のストッカ６を、当該選択ストッカ６Ｓよりも下方のストッカ６と分離して上動させるための、緩い円弧状の斜部でなる、離開ガイド部としての一対の下方ストッカ分離ガイド４０Ｃ１が形成されているとともに、当該下方ストッカ分離ガイド４０Ｃ１の上方には、選択ストッカ６Ｓよりも上方のストッカ６を当該選択ストッカ６Ｓから分離して上動させるための、緩い円弧状の斜部でなる、離開ガイド部としての一対の上方ストッカ分離ガイド４０Ｃ２が形成されている。さらに、下方ストッカ分離ガイド４０Ｃ１と上方ストッカ分離ガイド４０Ｃ２との間には、選択ストッカ６Ｓのみをガイドして、選択ディスク１００Ｓの再生に適した状態に移動させるための選択ストッカガイド４０Ｄが形成され、下方ストッカ分離ガイド４０Ｃ１、上方ストッカ分離ガイド４０Ｃ２及び選択ストッカガイド４０Ｄでストッカ分離制御部４１を構成している。
【００３６】
また分離カム４０には、選択ストッカ６Ｓよりも上方のストッカ６のガイドピン６Ｃ及び６Ｄの位置を保持するための保持上面４０Ｆと、選択ストッカ６Ｓよりも下方のストッカ６のガイドピン６Ｃ及び６Ｄの位置を保持しかつ板バネ６Ｅの受け部６Ｇを押さえ込む保持下面４０Ｇとが、それぞれ分離カム４０の上面及び下面に移動方向に沿って形成されている。
【００３７】
ガイド溝としての選択ストッカガイド４０Ｄは、上段溝部４０Ｊ、斜め溝部４０Ｋ及び下段溝部４０Ｌが連続して構成され、全体として上下方向に屈曲した略Ｓ字状の溝を形成している。選択ストッカガイド４０Ｄの溝幅はガイドピン６Ｃ及び６Ｄの直径よりもやや大きく形成されており、当該選択ストッカガイド４０Ｄ内に挿入されたガイドピン６Ｃ及び６Ｄの上下方向の位置を規制しつつ、分離カム４０の移動に応じて、当該ガイドピン６Ｃ及び６Ｄを上下にスムーズに移動させ得るようになされている。
【００３８】
上段溝部４０Ｊは、選択ストッカ６Ｓのガイドピン６Ｃ及び６Ｄを導いて当該選択ストッカの垂直位置を規制することにより、当該選択ストッカ６Ｓを、上方ストッカ分離ガイド４０Ｃ２によって上方に移動される上方のストッカ６から離開させるためのものである。移送溝部としての斜め溝部４０Ｋは、選択ストッカ６Ｓを選択ディスク１００Ｓとともに降下させて、選択ストッカ６Ｓの上下に形成された空間内に移動してきた支持アーム１３のターンテーブル１５上に選択ディスク１００Ｓを載置した後、さらに選択ストッカ６Ｓを降下させて選択ディスク１００Ｓと選択ストッカ６Ｓとを離開させる。離開保持溝部としての下段溝部４０Ｌは、選択ストッカ６Ｓを選択ディスク１００Ｓとの離開位置で規制して保持する。このとき、後方の下方ストッカ分離ガイド４０Ｃ１と選択ストッカガイド４０Ｄとの交点であるバネ押上部４０Ｍは、選択ストッカ６Ｓにおける板バネ６Ｅの受け部６Ｈを上方へ押し上げ、保持バネ６Ｅによって保持されていた選択ディスク１００Ｓを解放する。
【００３９】
ここで、図５（Ｂ）に示すように、上段溝部４０Ｊ及び斜め溝部４０Ｋは分離カム４０の側面に対して直角（すなわちディスク１００の表面に対して平行）に形成されている。このため選択ストッカ６Ｓのガイドピン６Ｃ及び６Ｄが上段溝部４０Ｊ及び斜め溝部４０Ｋ内にある間は、当該選択ストッカ６Ｓは上段溝部４０Ｊ及び斜め溝部４０Ｋに規制され、図６（Ａ）に示すようにディスク１００と平行に保たれる。
【００４０】
これに対して図５（Ｃ）に示すように、下段溝部４０Ｌは、ディスク再生装置１の中心方向（すなわちディスク１００の中心方向）に向かってやや下向きに形成されている。このため選択ストッカ６Ｓのガイドピン６Ｃ及び６Ｄが下段溝部４０Ｌに進入した再生状態においては、図６（Ｂ）に示すように、当該選択ストッカ６Ｓはその自重によって選択ディスク１００Ｓの内下方に向かって傾斜する。
【００４１】
これによりディスク再生装置１では、その再生状態において選択ディスク１００Ｓと選択トレイ６Ｓとの間隔を十分に保つことができる。
【００４２】
（５）動作及び効果
以上の構成において、このディスク再生装置１では、上下のストッカ６を選択ストッカ６Ｓから分離させるための分離カム４０における、選択ストッカ６Ｓを再生中の選択ディスク１００Ｓから離開して保持するための選択ストッカガイド４０Ｄの下段溝部４０Ｌを、ディスク再生装置１の内側下方に向けて斜めに形成した。
【００４３】
このためこのディスク再生装置１においては、選択ストッカ６Ｓのガイドピン６Ｃ及び６Ｄが選択ストッカガイド４０Ｄの上段溝部４０Ｊ及び斜め溝部４０Ｋ内にある状態では、当該選択ストッカ６Ｓは上段溝部４０Ｊ及び斜め溝部４０Ｋによって水平に保持されるのに対し、分離カム４０の移動に応じて選択ストッカ６Ｓのガイドピン６Ｃ及び６Ｄが下段溝部４０Ｌに移ると、それまで水平に保持されていた選択ストッカ６Ｓは、当該下段溝部４０Ｌの傾きに応じて下方に傾斜して保持される。
【００４４】
これによりこのディスク再生装置１では、再生時における選択ディスク１００Ｓと選択トレイ６Ｓとの間隔を従来に比して拡大して、再生中の選択ディスク１００Ｓに対する選択トレイ６Ｓの接触を防止することができる。
【００４５】
また、このディスク再生装置１では、単に下段溝部４０Ｌを斜めに形成しただけで、ディスク再生装置１を複雑化することなく、簡易な構成で選択ストッカ６Ｓを水平状態から斜めの状態へ３次元的に移動させることができる。
【００４６】
以上の構成によれば、分離カム４０の下段溝部４０Ｌをディスク１００の内側下方に向けて斜めに形成したことにより、再生時における選択ストッカ６Ｓを斜めに保持して選択ディスク１００Ｓとの間隔を大きく保ち、再生中の選択ディスク１００Ｓに対する選択トレイ６Ｓの接触を防止して当該選択ディスク１００Ｓの破損を未然に防ぐことができる。
【００４７】
（６）他の実施の形態
なお上述の実施の形態においては、車室内搭載型のディスク再生装置に本発明を適用した場合について述べたが、本発明はこれに限らず、トランク内搭載型ディスク再生装置や室内用のディスク再生装置等の様々なディスク再生装置に本発明を適用してもよく、また、これに使用するディスクとしてはＤＶＤ（Digital Versatile Disk）等の種々のディスクを用いてもよく、さらにはＣＤ−ＲＷ（Compact Disk-ReWritable）等の書き込み可能なディスクに対する記録機能を兼ね備えたディスク記録再生装置等、種々のディスクプレーヤに本発明を適用してもよい。
【産業上の利用可能性】
【００４８】
本発明は、複数のディスクを収納して再生するディスク再生装置に適用できる。
【図面の簡単な説明】
【００４９】
【図１】本発明によるディスク再生装置の全体構成を示す略線的斜視図である。
【図２】ディスク収納部の構成を示す略線的斜視図である。
【図３】ディスク保持装置の構成を示す略線的斜視図である。
【図４】ディスク再生部の構成を示す略線的斜視図である。
【図５】分離カムの詳細な構成を示す略線図である。
【図６】選択ストッカの移動状態を示す略線図である。
【符号の説明】
【００５０】
１……ディスク再生装置、２……筐体、３……ディスク挿脱口、４……ディスク収納部、５……ディスク再生部、６……ストッカ、６Ｓ……選択ストッカ、７……再生部昇降台、１０……回動軸、１１……下アーム、１２……上アーム、１３……支持アーム、１４……スピンドルモータ、１５……ターンテーブル、１６……チャックプレート、１７……光ピックアップ、２１……ディスク保持装置、４０……分離カム、１００……ディスク、１００Ｓ……選択ディスク。
【図１】
2005108384.tif 000003
【図２】
2005108384.tif 000004
【図３】
2005108384.tif 000005
【図４】
2005108384.tif 000006
【図５】
2005108384.tif 000007
【図６】
2005108384.tif 000008